【事件の表示】
　特許第３２７４７３３号「カメラのプリント基板実装構造」の請求項１に係る特許に対する特許異議の申立てについて、次のとおり決定する。
【結　論】
　訂正を認める。
　特許第３２７４７３３号の請求項１に係る特許を取り消す。
【理　由】
（１）手続の経緯
　特許第３２７４７３３号の請求項１に係る発明は、平成５年３月８日に特許出願され、平成１４年２月１日にその特許の設定登録がなされ、その後異議申立人田村典子により特許異議の申立がなされ、取消理由通知がなされ、その指定期間内である平成１５年２月１７日に訂正請求がなされたものである。
　
（２）訂正の適否についての判断
　（ア）訂正の内容
訂正事項ａ
　特許請求の範囲の請求項１を、次のように訂正する。
「【請求項１】
　カメラボディの背面に配設された電気基板であって、カメラの電気部品が実装され、外装部材内面と対面する面に他の電気基板と電気的接続を行うためのコネクタ部品が実装されているプリント基板と、
　上記カメラボディの上記背面以外の他の面の少なくとも一面に設けられ、上記プリント基板の上記コネクタ部品と電気的に接続される接点部を有する、上記プリント基板とは別の上記他の電気基板であるフレキシブルブリント基板と、
　を具備することを特徴とするカメラのプリント基板実装構造。」
　
訂正事項ｂ
　明細書の段落【０００９】を、次のように訂正する。
「【０００９】
【課題を解決するための手段】
　上記の目的を達成するために、本発明によるカメラのプリント基板実装構造は、カメラボディの背面に配設された電気基板であって、カメラの電気部品が実装され、外装部材内面と対面する面に他の電気基板と電気的接続を行うためのコネクタ部品が実装されているプリント基板と、上記カメラボディの上記背面以外の他の面の少なくとも一面に設けられ、上記プリント基板の上記コネクタ部品と電気的に接続される接点部を有する、上記プリント基板とは別の上記他の電気基板であるフレキシブルブリント基板と、を具備することを特徴とする。」
　
　（イ）訂正の目的の適否、新規事項の有無及び拡張・変更の存否
　訂正事項ａに係る訂正は、特許請求の範囲の減縮に該当し、実質的に特許請求の範囲を拡張又は変更するものではないし、新規事項の追加にも該当しない。
　
　訂正事項ｂに係る訂正は、明瞭でない記載の釈明に該当し、実質的に特許請求の範囲を拡張又は変更するものではないし、新規事項の追加にも該当しない。
　
　（ウ）むすび
　以上のとおりであるから、上記訂正は特許法等の一部を改正する法律（平成６年法律第１１６号）（以下「平成６年改正法」という。）附則第６条第１項の規定によりなお従前の例によるとされる、平成１１年改正前の特許法第１２０条の４第３項において準用する平成６年改正法による改正前の特許法第１２６条第１項ただし書及び第２項の規定に適合するので、当該訂正を認める。
　
（３）特許異議の申立について
　（ア）申立の理由の概要
　申立人田村典子は、証拠として甲第１号証〔実願平２ー５３７１４号（実開平４ー１２６７９号）のマイクロフィルム〕、甲第２号証（特開平２ー１６６４３２号公報）を提出し、本件請求項１に係る発明の特許は、甲第１及び２号証記載の発明に基づいて当業者が容易に発明することができたものであるので、特許法第２９条第２項の規定に違反してなされたものである。したがって、本件請求項１に係る発明の特許を取り消すべき旨主張している。
　
　（イ）本件請求項１に係る発明
　本件請求項１に係る発明は、上記訂正に係る訂正明細書の特許請求の範囲の請求項１に記載された事項により特定される次のとおりのものである。
「【請求項１】
　カメラボディの背面に配設された電気基板であって、カメラの電気部品が実装され、外装部材内面と対面する面に他の電気基板と電気的接続を行うためのコネクタ部品が実装されているプリント基板と、
　上記カメラボディの上記背面以外の他の面の少なくとも一面に設けられ、上記プリント基板の上記コネクタ部品と電気的に接続される接点部を有する、上記プリント基板とは別の上記他の電気基板であるフレキシブルプリント基板と、
　を具備することを特徴とするカメラのプリント基板実装構造。」
（なお、「フレキシブルブリント基板」は「フレキシブルプリント基板」の明かな誤記であるから、上記のように認定した。）
　
　（ウ）引用刊行物
　本件請求項１に係る発明に対して、当審が平成１４年１２月１０日付で通知した取消理由で引用した刊行物１［甲第１号証〔実願平２ー５３７１４号（実開平４ー１２６７９号）のマイクロフィルム〕］には、次のような記載がある。
「本考案は、フレキシブルプリント配線基板、詳しくは回路チェック用のチェックランドが設けられたフレキシブルプリント配線基板（以下ＦＰＣと称す）に関する。」（第１頁第１７〜２０行）
　
「第１図は、本考案の第一実施例を示すＦＰＣの回路部品実装状態の斜視図を示す。なお、このＦＰＣはカメラ等の電子機器に内蔵されるものとする。図に示されるように、ＦＰＣ１は、回路部品実装面１ａを有し、その面から延出する折曲連絡部１ｂおよびその先端部にコネクタ接続部１ｃを有している。上記折曲連絡部１ｂ上にはチェックランド１ｄが設けられる。そして、上記実装面１ａ上には回路部品２ａ，２ｂ，２ｃ等が半田付け等により固着される。」（第５頁第１４行〜第６頁第３行）
　
「ＦＰＣ１は、第２図に示されるように電子機器の内部構造体４に回路部品実装面１ａの部分を固着する。そして、チェックランド１ｄが設けられた折曲連絡部１ｂを折り曲げ、コネクタ接続部１ｃを上記構造体の下方に支持される硬質のプリント配線基板３のコネクタ３ａに挿入し接続する。上記ＦＰＣ１，構造体４，プリント配線基板３等は、外装体５，６によってカバーされる。」（第６頁第６〜１４行）
　
「第２図に示されるように領域ＡがＦＰＣ１の回路部品実装可能領域を示し」（第６頁第１８〜１９行）
　
　前記各記載事項、及び図面の記載からみて、刊行物１には「内部構造体４の一面に配設された電気基板であって、外装体６内面と対面しない面に他の電気基板と電気的接続を行うためのコネクタ３ａが実装されている硬質のプリント配線基板３と、上記内部構造体４の上記一面以外の他の面の少なくとも一面に設けられ、上記硬質のプリント配線基板３の上記コネクタ３ａと電気的に接続されるコネクタ接続部１ｃを有する、上記硬質のプリント配線基板３とは別の上記他の電気基板であるフレキシブルプリント配線基板１と、を具備することを特徴とするカメラのプリント基板実装構造。及び、フレキシブルプリント配線基板１にカメラの回路部品２ａ，２ｂ，２ｃが実装される点。」が記載されている。
　
同刊行物２〔甲第２号証（特開平２ー１６６４３２号公報）〕には、次のような記載がある。
「カメラ」（第１頁左欄、発明の名称）
　
「巻取室１５側にフレキシブルプリント配線基板６０８が屈曲して２段６０８ａ，６０８ｂにし、このフレキシブルプリント配線基板６０８に回路素子６０９を接続して第１回路であるメイン制御回路Ｂが配置され、巻取室１５とパトローネ室１４との段差Ｘ３で形成される空間を有効に利用している。」（第４頁右上欄第１２〜１８行）
　
「フレキシブルプリント配線基板６０８が第１コネクタ部７００で、裏蓋４０の裏蓋側回路Ｃに接続したフレキシブルプリント配線基板２０４の端部２０４ａと圧着金具７０２を介しビス７０３で固定され、この裏蓋回路Ｃはデータ写し込み回路及び表示回路を構成している。」（第４頁左下欄第６〜１１行）
　
　前記各記載事項、及び図面の記載からみて、刊行物２には、カメラにおいて、コネクタ部で電気的に接続された２つのフレキシブルプリント配線基板の１つが裏蓋側に配設されることが記載されている。
　
　（エ）対比・判断
　刊行物１記載の発明の「内部構造体４」、「外装体５，６」、「コネクタ３ａ」、「硬質のプリント配線基板３」、「コネクタ接続部１ｃ」、「フレキシブルプリント配線基板１」、及び「回路部品２ａ，２ｂ，２ｃ」は、請求項１に係る発明の「カメラボディ」、「外装部材」、「コネクタ部品」、「プリント基板」、「接点部」、「フレキシブルプリント基板」、及び「電気部品」にそれぞれ相当するものであるので、刊行物１には「カメラボディの一面に配設された電気基板であって、外装部材内面と対面しない面に他の電気基板と電気的接続を行うためのコネクタ部品が実装されているプリント基板と、上記カメラボディの上記一面以外の他の面の少なくとも一面に設けられ、上記プリント基板の上記コネクタ部品と電気的に接続される接点部を有する、上記プリント基板とは別の上記他の電気基板であるフレキシブルプリント基板と、を具備することを特徴とするカメラのプリント基板実装構造。及び、フレキシブルプリント基板にカメラの電気部品が実装される点。」が記載されている。
　本件請求項１に係る発明と上記刊行物１（甲第１号証）記載の発明とを対比すると、両者は「カメラボディの一面に配設された電気基板であって、表面に他の電気基板と電気的接続を行うためのコネクタ部品が実装されているプリント基板と、上記カメラボディの上記一面以外の他の面の少なくとも一面に設けられ、上記プリント基板の上記コネクタ部品と電気的に接続される接点部を有する、上記プリント基板とは別の上記他の電気基板であるフレキシブルプリント基板と、を具備することを特徴とする外装部材を有するカメラのプリント基板実装構造。」という点で一致し、次の点で相違する。
　
相違点（Ａ）
　プリント基板の配設位置が、本件請求項１に係る発明は、カメラボディの背面であるのに対して、刊行物１記載の発明は、そのことについての明示が無い点。
　
相違点（Ｂ）
　本件請求項１に係る発明は、プリント基板にカメラの電気部品が実装されるのに対して、刊行物１記載の発明は、そのことについての明示が無い点。
　
相違点（Ｃ）
　コネクタ部品が実装されている面が、本件請求項１に係る発明は、プリント基板の外装部材内面と対面する面であるのに対して、刊行物１記載の発明は、プリント基板の外装部材内面と対面しない面である点。
　
　（本件請求項１に係る発明に対する判断）
相違点（Ａ）について：
　刊行物１記載の発明において、外装体（外装部材）５、及び外装体（外装部材）６は、通常いずれか一方がカメラの正面側となり、他方がカメラの背面側となるものである。
　刊行物２には、フレキシブルではあるが、コネクタ部（コネクタ部品）で電気的に接続された２つのプリント配線基板（プリント基板）の１つが裏蓋側（背面側）に配設されることが記載されており、これを刊行物１記載の発明に適用して、刊行物１記載のものにおいて、外装体（外装部材）６をカメラの背面側として、相違点（Ａ）における本件請求項１に係る発明のような構成にしたことに、格別の困難性は認められない。
　
相違点（Ｂ）について：
　刊行物１には、フレキシブルプリント基板にカメラの電気部品が実装されることが記載されており、これを刊行物１記載の発明のプリント基板に採用して、相違点（Ｂ）における本件請求項１に係る発明のような構成にしたことに格別の困難性は認められない。
　
相違点（Ｃ）について：
　コネクタ部品が実装されている面が、プリント基板の外装部材内面と対面する面である点は、周知技術〔例えば、実願平２ー５３７１５号（実開平４ー１２６９４号）のマイクロフィルム参照。〕であり、これを刊行物１記載のものにおいてプリント基板におけるコネクタ部品の実装に採用して、相違点（Ｃ）における本件請求項１に係る発明のような構成にしたことに、格別の困難性は認められない。
　
　そして、本件請求項１に係る発明の効果は、刊行物１及び２の記載と周知技術から予測される範囲のものである。
　
　（オ）むすび
　以上のとおり、本件請求項１に係る発明は、上記刊行物１及び２記載の発明と周知技術に基づいて、当業者が容易に発明をすることができたものであるから、本件請求項１に係る発明の特許は、特許法第２９条第２項の規定により特許を受けることができない。
　したがって、本件請求項１に係る発明についての特許は拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１５年３月７日（２００３．３．７）
【訂正の要旨】
　▲１▼訂正事項ａ
　特許請求の範囲（請求項１）を、
「【特許請求の範囲】
　【請求項１】　カメラボディの背面に配設され
た電気基板であって、
外装部材内面と対面する面
　上記カメラボディの上記背面以外の他の面の少なくとも一面に設けられ、上記プリント基板の上記コネクタ部品と電気的に接続される接点部を有する、上記プリント基板とは別の上記他の電気基板であるフレキシブルブリント基板と、
　を具備することを特徴とするカメラのプリント基板実装構造。」
と訂正する。
　▲２▼訂正事項ｂ
　明細書段落番号【０００９】を、
「【課題を解決するための手段】
　上記の目的を達成するために、本発明によるカメラのプリント基板実装構造は、カメラボディの背面に配設され
た電気基板であって、
外装部材内面と対面する面
と訂正する。
（５４）【発明の名称】
カメラのプリント基板実装構造
（５７）【特許請求の範囲】
　【請求項１】　カメラボディの背面に配設され
た電気基板であって、
外装部材内面と対面する面
　上記カメラボディの上記背面以外の他の面の少なくとも一面に設けられ、上記プリント基板の上記コネクタ部品と電気的に接続される接点部を有する、上記プリント基板とは別の上記他の電気基板であるフレキシブルブリント基板と、
　を具備することを特徴とするカメラのプリント基板実装構造。
【発明の詳細な説明】
　【０００１】
　【産業上の利用分野】
　本発明は、カメラのプリント基板実装構造、より詳しくは、カメラボディ内に収納される、カメラのプリント基板実装構造に関する。
　【０００２】
　【従来の技術】
　従来より、カメラの電気回路の配線実装は、カメラ内の狭い空間を有効利用するために、可撓性を有するフレキシブルプリント基板を利用することが多かった。
　【０００３】
　しかし、近年のカメラは高度の電子化，多機能化をしており、これに伴い回路の実装規模が大きくなり、かつ各種のスイッチ類やセンサ等がカメラ内の所々に分散配置されるようになってきたために、配線実装としてのフレキシブルプリント基板の配線は、カメラ内の狭い空間を縫う複雑なものとなっている。これに加えてカメラの小型化が急速に進み、カメラ内に広い空間がほとんど取れず、フレキシブルプリント基板上に実装する電気部品の配置も分散化する傾向にある。このような事情により、電気部品間の配線のためには、フレキシブルプリント基板として広い面積を要求されるようになってきた。
　【０００４】
　このような状況の中で、フィルムパトローネ内にスプールに巻き付けられた状態で装填されているフィルムを、該スプールを回転させることにより送り出して自動装填するカメラにおけるプリント基板実装構造、より詳しくは、カメラボディ内部の裏面に実装可能に硬質プリント基板を配設し、該硬質プリント基板上に設けられた接点に対して、部品実装可能な面部を有したフレキシブルプリント基板の接点を電気的に接続するカメラの基板実装構造は、従来より種々提案されている。
　【０００５】
　このようなカメラのプリント基板実装構造の一例として、特開昭６２−１４１５２４号公報に、実装するフレキシブルプリント基板を、カメラ本体の上面，下面，側面等の各実装面部用の複数枚の分割体とし、かつ該各分割体が実装されない共通のカメラ本体面部に向かってそれぞれ折り曲げ、この面部上で全体一連に結線状態とするものが提案されている。このような構成により、基板を実装する際の作業性を向上し、かつコストダウンを図っている。
　【０００６】
　また、上記カメラの基板実装構造の他の例が、実開昭６３−１１３１３５号公報にも記載されている。該公報記載のカメラの電気回路実装構造は、被写体の輝度を測光するための測光センサーと、ストロボ撮影時の閃光量を測光するための調光センサーと、該両センサーからの出力信号を基に露出並びにストロボ撮影制御を行う制御回路素子等の電気回路素子とを１枚のフレキシブルプリント基板上に実装し、該フレキシブルプリント基板をペンタプリズムの上面を含むカメラ上面と、ミラーボックスの側面および下面と、保持板とに沿って連続的に配設するとともに、少なくとも１箇所はフレキシブルプリント基板が重ねられて配設されたものとなっている。
　【０００７】
　【発明が解決しようとする課題】
　しかしながら、上記特開昭６２−１４１５２４号公報に記載の技術手段では、分割された基板は、複数であるためにカメラ本体への装着が面倒になるばかりでなく、カメラ内の隙間を縫っているために折り曲げ部分も多く、実装面積も小さいという問題点がある。また、実開昭６３−１１３１３５号公報に記載のものでは、基板を１枚のフレキシブルプリント基板としたために折り曲げ部が多くなり、基板面積の割には広い実装面積がとれないものである。そして、カメラボディへフレキシブルプリント基板を装着するのが困難であるばかりでなく、大きい面積のフレキシブルプリント基板はコストアップにもつながるという問題がある。
　【０００８】
　本発明はかかる問題点に鑑みてなされたものであり、コストが安くて作業性の良い、実装面積の広いカメラのプリント基板実装構造を提供することを目的としている。
　【０００９】
　【課題を解決するための手段】
　上記の目的を達成するために、本発明によるカメラのプリント基板実装構造は、カメラボディの背面に配設され
た電気基板であって、
外装部材内面と対面する面
　【００１０】
　【実施例】
　以下、図面を参照して本発明の実施例を説明する。◎
　図１，図２は本発明の第１実施例を示したものである。図１はカメラボディを裏側から見たときのカメラのプリント基板実装構造を示す斜視図、図２はカメラボディを側面側から見たときのカメラのプリント基板実装構造を示す側断面図である。
　【００１１】
　図１，図２に示すように、硬質プリント基板１は、カメラボディ５の裏側に配設されていて、略矩形で該ボディ５の裏面にほぼ相当する面積を有し、この硬質プリント基板１上には広い実装可能面部が設けられている。この硬質プリント基板１は、図示しないペンタプリズム上面を含む該カメラボディ５の上面に沿うように部品実装可能に配設されたフレキシブルプリント基板２と、該カメラボディ５の下面に沿うように部品実装可能に配設されたフレキシブルプリント基板３と、図示しないミラーボックス側面部に沿うように部品実装可能に配設されたフレキシブルプリント基板４と、それぞれ電気的導通手段である接触接点６およびコネクタ８，９を介して電気的に接続されている。
　【００１２】
　すなわち、上記フレキシブルプリント基板２，３，４は、上記接触接点６が設けられた凸部２ａ，３ａ，４ａをそれぞれの部品実装可能面部からカメラ裏面に向かって突設するとともに、上記硬質プリント基板１上の対となる接点部に重なるように、該基板１に向かってほぼ９０度曲折されている。また、上記フレキシブルプリント基板２，３は、コネクタ接続部２ｂ，３ｂをカメラ裏面に向かって突設するとともに、上記硬質プリント基板１上のコネクタ８，９に向かってそれぞれ曲折して電気的に接続されている。
　【００１３】
　なお、この第１実施例のカメラのプリント基板実装構造をカメラに適用する場合、フィルムパトローネを装填するためにパトローネ室に面しているカメラ外壁の一部を開いてパトローネを落とし込む、いわゆるドロップイン方式のカメラが最も望ましいものである。しかし、このドロップイン方式のカメラに限らず、例えば、硬質プリント基板とフレキシブルプリント基板との間を接触接点で接続する手段を採用すれば、カメラ後方のいわゆる裏蓋前面を開閉することによりフィルムパトローネを装填する従来のカメラに対して適用することも可能である。
　【００１４】
　このような第１実施例によれば、従来のカメラにおいて裏蓋が配設されていた広い平面領域を有効に用いて、広い面積の部品実装面部を備えたコストの安い硬質プリント基板１を配設することにより、スペースを有効に利用できて実装効率の向上を図ることができるとともに、フレキシブルプリント基板を少ない折り曲げ回数で配線接続できるように構成したことで作業性が向上し、コストダウンすることができる。さらに、接続をコネクタなどを使用して行うようにしたことで、各基板の接続作業がさらに容易になる。
　【００１５】
　図３，図４は本発明の第２実施例を示したものである。図３はカメラボディを裏側から見たときのカメラのプリント基板実装構造を示す斜視図、図４はカメラを上記図３の切断線Ａにより光軸方向に切断した際の各基板の積層状態を示す部分断面図である。この第２実施例は上述の第１実施例とほぼ同様であるので、主として異なる部分についてのみ説明する。
　【００１６】
　図３，図４に示すように、この第２実施例においては、広い実装面積を両面に有した硬質プリント基板１０を、裏板部材１９と裏蓋部材２１との間に設けられた空間に配設している。
　【００１７】
　すなわち、カメラボディ５の裏面であって、カメラ裏側からフィルムパトローネをカメラへ装填および取り出しするためのメカスペースに影響を及ぼさない領域に、広い実装面積を有する硬質プリント基板１０が配設されている。この硬質プリント基板１０の両面には、カメラ内に配設されている回路を構成する主要な電気部品１０ａ，１０ｂなどが、高密度に実装されている。該硬質プリント基板１０は、配線パターンの高密度化を実現するために、パターン層が２層の硬質プリント基板としている。
　【００１８】
　このような硬質プリント基板１０に対して、図示しないペンタプリズムの上面を含む該カメラボディ５の上面に沿うようにして設けられた、図示しないファインダＣＰＵや各種スイッチ，ダイヤル類などが配設されているフレキシブルプリント基板１１と、このフレキシブルプリント基板１１の上に重ねて配設されていて、図示しない外部表示用装置に接続されているフレキシブルプリント基板１２と、カメラボデイ５の下面に沿うように設けられていて、図示しない複数のモーターへの配線や電気部品等が配設されているフレキシブルプリント基板１３とが接続されている。
　【００１９】
　すなわち、該複数のフレキシブルプリント基板１１，１２，１３は、各種電気部品が実装されている面部からそれぞれコネクタ接続部１１ａ，１１ｂ，１２ａ，１３ａをカメラの裏面に向かって延出するとともに、上記硬質プリント基板１０の部品実装面部に略平行になるように折曲した後、該硬質プリント基板１０の公知の構成のコネクタ１５ａ，１５ｂ，１５ｃ，１５ｄにそれぞれ電気的に接続するようになっている。
　【００２０】
　さらに、上記硬質プリント基板１０に対しては、上記フレキシブルプリント基板１３と同じカメラボディ５の下面に配設された電源制御用の硬質プリント基板１４が接続されるようになっている。すなわち、この硬質プリント基板１４は、上記硬質プリント基板１０と電気的接続を行うために、これらの２つの硬質プリント基板１０，１４の電気的接続に必要十分なパターンが配線された公知の構成の中継用フレキシブルプリント基板１４ａの一端を接続するとともに、この中継用フレキシブルプリント基板１４ａの他端を硬質プリント基板１０に設けられたコネクタ１５ｃに接続している。
　【００２１】
　また、図３の切断線Ａによるカメラの断面に表れる図４の符号１６ａ，１６ｂは、アパーチャ２０で上下に２分割されているカメラボディ５の一部を示している。◎
　このカメラボディ１６ａ，１６ｂの光軸後方には、該カメラボディ１６ａ，１６ｂに形成されたフィルムレール面１６ｃ，１６ｄに沿って移動可能に、フィルム１７が張設されている。この後方にはフィルム圧着板１８が配設されていて、平面性を保持しながら該フィルム１７を上記フィルムレール面１６ｃ，１６ｄに圧着するようになっている。
　【００２２】
　このフィルム圧着板１８は、裏板部材１９により弾性をもって保持されている。そして、この裏板部材１９は、上記カメラボディ１６ａ，１６ｂと図示しない部分で組み付けられて一体となっている。◎
　この裏板部材１９のさらに後方には、上記硬質プリント基板１０を挟んでカメラの外装となる裏蓋部材２１が配設されていて、上記カメラボディ５と図示しない部分で組み付けられて一体となっている。
　【００２３】
　このような第２実施例によれば、図示しないフィルムパトローネをカメラ裏側から装填および取り出しするためのスペースを確保しても、高密度な部品実装が可能でかつ広い実装可能面積を持つ硬質プリント基板をカメラボディ５裏面部に配設することができ、電気部品の実装効率が大きく向上する。また，上記各基板１０，１１，１２，１３，１４の接続をコネクタを介して行うようにしたことで、これらの接続作業は容易となり、作業効率も向上することができる。
　【００２４】
　なお、この第２実施例では上記硬質プリント基板１０のパターン層を２層としたが、このような２層に限られるものではなく、２層以上の多層とした場合には電気部品の実装効率は一段と向上して、より高い効果が得られることはいうまでもない。
　【００２５】
　図５は、本発明の第３実施例を示したものであり、図示しないペンタプリズムを含むファインダーユニットを着脱自在に取り外し可能なカメラの斜視図である。この第３実施例は上述の第１，第２実施例とほぼ同様であるので、主として異なる部分についてのみ説明する。
　【００２６】
　図５に示すように、硬質プリント基板２２は、広い実装面積を有していて、カメラボディ５の裏面であって、かつカメラの裏側からフィルムパトローネをカメラへ装填および取り出しするためのメカスペースに影響を及ぼさない領域に配設されている。
　【００２７】
　この硬質プリント基板２２が配設されている部分と同じ空間領域であるカメラの裏面の、パトローネ出入に邪魔にならない側の側方には、硬質プリント基板２６が、部品実装可能に、かつその部品実装面部が、硬質プリント基板２２の部品実装面部と略平行となるように配設されている。そして、硬質プリント基板２６のコネクタ２６ａと、上記硬質プリント基板２２コネクタ２２ａとを、中継用フレキシブルプリント基板２７を介して電気的に接続している。
　【００２８】
　上記硬質プリント基板２２は、両面が実装面となっていて、図示しない主要電気部品が配設されている。これに対して、硬質プリント基板２６は、カメラ裏側に向かった面のみが実装面部となっていて、この面のみに電気部品が配設されていることが特徴となっている。
　【００２９】
　このような硬質プリント基板２２および硬質プリント基板２６に対して、ファインダーユニット装着部分によって左右に分けられたカメラボディ５の上面の内、カメラ裏面側から見て向かって右側の面部に沿うように部品実装可能に配設されたフレキシブルプリント基板２３と、該カメラボディ５の上面の内、カメラ裏面側から見て向かって左側の面部に沿うように部品実装可能に配設されたフレキシブルプリント基板２４と、該カメラボディ５の下面に沿うように部品実装可能に配設されたフレキシブルプリント基板２５とが、上記第１，第２実施例で示されたような公知の電気的接続手段を介して接続されている。
　【００３０】
　すなわち、硬質プリント基板２２，２６にはそれぞれコネクタ２２ｂ，２６ｂが設けられていて、フレキシブルプリント基板２３から延出されている２つのコネクタ接続部２３ａ，２３ｂを、該コネクタ２２ｂ，２６ｂに向かって曲折した後、電気的に接続するようになっている。
　【００３１】
　また、上記フレキシブルプリント基板２４からは、フィルムパトローネの出入に邪魔にならないようにほぼ直角のくの字形に形成して延出された接続部２４ａが、硬質プリント基板２２の対応する部分に重ねられて、接触接点２８により電気的に接続されている。
　【００３２】
　さらに、上記フレキシブルプリント基板２５からは、接続部２５ａが延出して曲折され、その先端部の電気接点と硬質プリント基板２２の接続したい電気接点とを公知の構成のハンダブリッジ接点２９により導通している。
　【００３３】
　この第３実施例では、上記第１，第２実施例と異なり、カメラボディ５の裏面部領域に配設される硬質プリント基板を１枚ではなく少なくとも２枚以上に分割している。つまり、少なくとも１枚の基板は電気部品を両面に実装し、少なくとも１枚の基板には片面のみに電気部品を実装するように分けて、部品高さの高い電気部品は片面実装の基板へ実装し、他の部品高さの高くない電気部品は両面実装の基板に配設することにより、硬質プリント基板２２および硬質プリント基板２６の配設される高さ方向のスペースを有効利用している。
　【００３４】
　このような第３実施例によれば、上記第１，第２実施例とほぼ同様の効果を有するとともに、カメラボディ５の裏面領域に配設される硬質プリント基板を複数に分割し、少なくとも一つの硬質プリント基板は片面、他の少なくとも一つの硬質プリント基板は両面に電気部品実装を行うことで、該硬質プリント基板が配設される領域の体積を減少させて、カメラ内のスペースを有効に利用することができる。
　【００３５】
　なお、上記第１，第２，第３実施例において、硬質プリント基板とフレキシブルプリント基板の接続は、上述の電気的接続方法に限るものではなく、例えば他の接続手段である熱圧着等の公知の手段によっても可能であることはいうまでもない。
　【００３６】
　さらに本発明は、上記各実施例に示した各基板の形状よりも、もっと複雑な形状の基板を有する場合に適用することもできる。◎
　加えて、上記各実施例においては、１眼レフカメラにおける実施例を説明したが、本発明はこれに限定されるものではなく、コンパクトカメラなどの基板構成にも適用できることはいうまでもない。
　【００３７】
　【発明の効果】
　以上説明したように本発明によれば、コストが安くて作業性の良い、実装面積の広いカメラのプリント基板実装構造を提供することができる。
【図面の簡単な説明】
　【図１】
　本発明の第１実施例に係り、カメラボディを裏側から見たときのカメラのプリント基板実装構造を示す斜視図。
　【図２】
　上記第１実施例に係り、カメラボディを側面側から見たときのカメラのプリント基板実装構造を示す側断面図。
　【図３】
　本発明の第２実施例に係り、カメラボディを裏側から見たときのカメラのプリント基板実装構造を示す斜視図。
　【図４】
　上記第２実施例に係り、カメラを上記図３の切断線Ａにより光軸方向に切断した際の各基板の積層状態を示す部分断面図。
　【図５】
　本発明の第３実施例に係り、カメラボディを裏側から見たときのカメラのプリント基板実装構造を示す斜視図。
　【符号の説明】
　１，１０，２２，２６…硬質プリント基板
　２，３，４，１１，１２，１３，２３，２４，２５…フレキシブルプリント基板
　５…カメラボディ
　１４…電源制御用硬質プリント基板
　２１…裏蓋部材（カメラボディ後面を形成する外装部材）